(57)【要約】【課題】食品を収納するものとしての十分な剛性及び耐熱性を有するだけでなく、食品が液汁や油に浸かることを防止することができ、しかも食品のカトラリーによる取り出しも簡単に行うことのできるシート成形された容器を提供すること。【解決手段】容器の底壁１１に互いに平行な複数の波状リブ１１ａを形成するとともに、これら各波状リブ１１ａの側部にカトラリー３０の先端を案内する案内部１７を形成し、これらの案内部１７を前記平行方向に沿った面を有するものとしたこと。【選択図】図６
2010047305.tif 000002
【特許請求の範囲】
【請求項１】
シート成形された容器であって、
この容器の底壁に互いに平行な複数の波状リブを形成するとともに、これら各波状リブの側部にカトラリーの先端を案内する案内部を形成し、これらの案内部を前記平行方向に沿った面を有するものとしたことを特徴とする容器。
【発明の詳細な説明】
【技術分野】
【０００１】
本発明は、シート成形される容器に関し、特に、箸やフォークを代表とするカテラリーを案内する案内部を底壁に設けた容器に関するものである。
【背景技術】
【０００２】
合成樹脂シートを材料としてシート成形された容器は、安価にしかも衛生的なものであることから、近年では種々なものが提案されている。また、このようなシート成形された容器やトレーは、使い捨てされるものでもあることから、ゴミ減量のターゲットにもなっているため、材料である合成樹脂シートの厚さを薄くする努力もなされてきている。
【０００３】
合成樹脂シートの厚さが薄くなってくると、これを材料としてシート成形した容器は、どうしても剛性が低くならざるを得ず、容器として必要な剛性を確保するために、特許文献１にも見られるように、「リブ」を形成することが行われている。
【特許文献１】特許第３９３９８３７号掲載公報
【発明の開示】
【発明が解決しようとする課題】
【０００４】
上記の特許文献１の技術によれば、「こんにゃく等の食品のへこみ発生や変形を防止できる」ものであるが、食品を入れる容器としての、次の問題は解決されていないものと考えられる。
【０００５】
この種の容器内に収納されるものとしては、例えば液汁を発生し易い「刺身」や、揚げたて状態で収納されることのある「コロッケ」がある。液汁を発生し易い「刺身」では、自らが出した液汁に永く浸かっていることによって、味が落ちる可能性が高くなるものである。また、「刺身」を重ねて容器に入れた場合には、これらの「刺身」が互いに、あるいは容器の底壁にくっついてしまって、箸やフォーク（以下ではこれらを纏めてカトラリーという）で取り出そうとした場合、なかなか取り出せなくなるということが多く発生する。
【０００６】
一方、「コロッケ」の場合は、揚げたてを容器内に収納する場合があるが、その際に、平らな底壁面に直接熱を伝えたり、余分な油が滴り落ちるといったことがある。「熱」が多く伝えられた容器は変形することがあるし、滴り落ちた油が再びコロッケに付着すれば、コロッケの味が落ちることがある。それだけでなく、底壁が平らであると、重いコロッケをカトラリーで容器から取り出そうとした場合、カトラリーから受けた力でコロッケが容器から飛び出して床に落ちてしまうことも間々あることである。
【０００７】
そこで、本発明者等は、食品を収納するものとしての十分な剛性を有し、食品のカトラリーによる取り出しも外に不用意に飛び出させてしまうことなく行える容器とするにはどうしたらよいか、について種々検討を重ねてきた結果、本発明を完成したのである。
【０００８】
すなわち、本発明の目的とするところは、食品を収納するものとしての十分な剛性及び耐熱性を有するだけでなく、食品が液汁や油に浸かることを防止することができ、しかも食品のカトラリー３０による取り出しも簡単に行うことのできるシート成形された容器を、簡単な構成によって提供することにある。
【課題を解決するための手段】
【０００９】
以上の課題を解決するために、まず、請求項１に係る発明の採った手段は、後述する最良形態の説明中で使用する符号を付して説明すると、
「シート成形された容器１０であって、
この容器１０の底壁１１に互いに平行な複数の波状リブ１１ａを形成するとともに、これら各波状リブ１１ａの側部にカトラリー３０の先端を案内する案内部１７を形成し、これらの案内部１７を前記平行方向に沿った面を有するものとしたことを特徴とする容器１０」
である。
【００１０】
すなわち、この請求項１に係る容器１０は、シート材料を真空または圧空成形（シート成形）したもので、全体形状は勿論、底壁１１の一部に互いに平行に形成した複数の波状リブ１１ａや、これら各波状リブ１１ａの側部に、箸やフォークを代表とするカトラリー３０の先端を案内するものとして形成した案内部１７も、そのシート成形時に同時に形成されるものである。そして、各案内部１７は、前記平行方向に沿った面を有するものとして形成されているものである。
【００１１】
後述する最良形態に係る容器１０では、平面視長方形状のものであるが、本発明は、容器１０の形状がこの長方形状の場合だけでなく、平面視多角形状、円形状、あるいは楕円形状のもののいずれも対象とすることができる。いずれの平面視形状の容器１０も、底壁１１に波状リブ１１ａ及び案内部１７を形成することがあるからである。
【００１２】
波状リブ１１ａは、図１０〜図１５に示すように、種々な形態のものが考えられるが、その基本構成は、図１及び図２Ａ、または図７及び図８に示すように、容器１０の底壁１１の一部を当該波状リブ１１ａとしたこと、互いに平行であること、そして各波状リブ１１ａの側部にカトラリー３０の先端を案内する案内部１７が存在するようにしていることである。
【００１３】
複数の波状リブ１１ａを互いに平行に形成する場合の「平行」とは、図２Ａに示したように、長方形状の容器１０の直線状の側壁１５に対して平行、つまり各波状リブ１１ａが平面視で直線状になっている場合は勿論、湾曲あるいは折れ曲がってはいるが、互いの距離がどこをとっても同じ場合、つまり各波状リブ１１ａが湾曲あるいは折れ曲がっている場合も含むものである。
【００１４】
また、互いに平行な各波状リブ１１ａを文字通り「波」として考えた場合、その高さ、振幅、幅が考えられるが、高さについて言えば、１．０ｍｍ〜５．０ｍｍの範囲であるとよい。波状リブ１１ａの高さが１．０ｍｍより低いと、当該波状リブ１１ａによる剛性が平らな底壁１１の場合と殆ど変わらず剛性の確保が困難だからであり、５．０ｍｍより高いと、カトラリー３０の滑りが悪くなるからであり、なかでも、３．０ｍｍ〜４．０ｍｍの範囲内にするのが好適である。
【００１５】
この波状リブ１１ａの振幅については、５．０ｍｍ〜２２．０ｍｍであることがよい。波状リブ１１ａの振幅が５．０ｍｍより小さいと、カトラリー３０を滑らす際の「ゴツゴツ感」が増加して好ましくなく、２２．０ｍｍより大きいと、剛性の確保が困難になるからであり、中でも１０．０ｍｍ〜１５．０ｍｍであると効果の高いものとなる。なお、この振幅に関連して、各波状リブ１１ａの外側曲面の半径を、３．０ｍｍ〜１５．０ｍｍ、特に６．０ｍｍ〜１０．０ｍｍとすると、より効果の高い波状リブ１１ａとすることができる。
【００１６】
一方、カトラリー３０の先端を案内する案内部１７も、図１６または図１７に示すような種々な態様のものが考えられるが、その基本構成は、上記各波状リブ１１ａの側部に形成されたこと、前記波状リブ１１ａの平行方向に沿った面を有することである。
【００１７】
重要なことは、この案内部１７として二種類の態様があることである。一つ目は、図１及び図２Ａに示すように、この案内部１７を底壁１１にて立ち上がる「リブ」として形成する場合（この場合には、案内部１７は、平面視凸状となる）であり、二つ目は、図７及び図８に示すように、波状リブ１１ａの側部に底壁１１の一部により、「壁」として形成する場合である。いずれの場合も、各波状リブ１１ａの側部に位置して、前記各波状リブ１１ａの平行方向に沿った面を有するものとなっており、この面によって、図６または図９に示すように、箸やフォークを代表とするカトラリー３０の先端を案内するものとなるのである。
【００１８】
なお、この案内部１７を、底壁１１から底側に膨出する「リブ」として形成することが考えられるが（この場合には、案内部１７は、平面視凹溝となる）、波状リブ１１ａの側部に底壁１１の一部により「壁」として形成された部分または案内部１７の凹溝が事実上のカトラリー３０先端の案内部となるものであり、底壁１１から下方に膨出させる「案内部１７」は、主として剛性の確保に寄与することになる。
【００１９】
一つ目の、この案内部１７を底壁１１にて立ち上がる「リブ」として形成する場合では、その平行方向に沿った面（実際にカトラリー３０が当たる面）が、図１６に示すような種々な態様になるものが考えられる。また、「リブ」としての各案内部１７の断面形状としては、図１７に示すような種々な態様のものが考えられる。
【００２０】
二つ目の、波状リブ１１ａの側部に底壁１１の一部により、「壁」として形成する場合では、図１０〜図１４の各（ｂ）にて示すような種々な態様のものが考えられる。勿論、各案内部１７を「壁」として形成するこの場合では、この「壁」が底壁１１の一部により形成するのであるから、各波状リブ１１ａの間には、図８に示すように、所定の間隔が必要となる。この間隔としては、「シート成形」を考慮すると、０．５ｍｍ〜３．０ｍｍ程度が好ましい。
【００２１】
さて、以上のような波状リブ１１ａ及び案内部１７を形成したこの容器１０では、その底壁１１が、これに形成した複数の波状リブ１１ａ、及びこれら各波状リブ１１ａの側部に形成した案内部１７とによって補強されているのである。何故なら、各波状リブ１１ａ及び案内部１７によって、当該容器１０（の特に底壁１１）を曲げようとする力方向に直交する面が何処かに形成されることになるからである。
【００２２】
特に、波状リブ１１ａが列として複数存在することによって、各波状リブ１１ａの谷部がチリメンジャコや漬け物等の比較的小さい食品の収納部分ともなり、収納物がその収納位置からズレにくくなる。このため、例えば、収納物を収納した当該容器１０を運搬したり、傾斜している陳列棚に陳列したりする場合に、収納物が各波状リブ１１ａの谷部に入っていることによって、大きく位置ズレすることがないのである。
【００２３】
また、各波状リブ１１ａの「山部」やリブとして形成した場合の案内部１７の上面は、収納した食品を「線」で支えることになるだけでなく、底壁１１から少し浮かせた状態で支持することになる。このため、揚げたての「コロッケ」からの熱が底壁１１に伝わりにくくなっているだけでなく、「刺身」から出る液汁や「コロッケ」から滴る油に浸ることなく、これらの食品を支持することになるのである。
【００２４】
勿論、各案内部１７によって、カトラリー３０の先端の案内を行うことができて、当該容器１０内に収納した食品の取り出しが容易に行える。すなわち、図６または図９に示すように、カトラリー３０の先端を波状リブ１１ａ上に当接させて、これを「刺身」や「コロッケ」などの収納物の下側に向けて滑らせれば、カトラリー３０の先端は各案内部１７によって案内されるから、カトラリー３０の先端が他に不用意に移動することがなく、取り出そうとする食品を容器１０から零れさせることがない。
【００２５】
また、カトラリー３０の先端は、波形にうねっている波状リブ１１ａの表面上を滑るのであるから、この波状リブ１１ａのうねりに応じて僅かに上下する。この上下動によって、互いにくっつき合っていた例えば「刺身」が引き剥がされることになり、「刺身」の掴みが容易にできることとも併せて、食品の取り出しが簡単に行えることになるのである。
【００２６】
さらに、もしも、各案内部１７の間に収納物（食品）が詰まったとしても、これらの各案内部１７の間にてカトラリー３０の先端を移動させれば、詰まった食品はこのカトラリー３０の先端で簡単に取り出せるのである。
【００２７】
従って、本発明に係る容器１０は、食品を収納するものとしての十分な剛性及び耐熱性を有するだけでなく、食品が液汁や油に浸かることを防止し、しかも食品のカトラリー３０による取り出しも簡単に行えるものとなっているのである。
【発明の効果】
【００２８】
以上、説明した通り、本発明においては、
「シート成形された容器１０であって、
この容器１０の底壁１１に互いに平行な複数の波状リブ１１ａを形成するとともに、これら各波状リブ１１ａの側部にカトラリーの先端を案内する案内部１７を形成し、これらの案内部１７を前記平行方向に沿った面を有するものとしたこと」
にその構成上の特徴があり、これにより、食品を収納するものとしての十分な剛性及び耐熱性を有するだけでなく、食品が液汁や油に浸かることを防止することができ、しかも食品のカトラリー３０による取り出しも簡単に行うことのできるシート成形された容器１０を、簡単な構成によって提供することができるのである。
【００２９】
また、本発明によれば、波状リブ１１ａが列として複数存在することによって、各波状リブ１１ａの谷部がチリメンジャコや漬け物等の比較的小さい食品の収納部分ともなり、収納物をその収納位置からズレにくくすることができる。このため、例えば、当該容器１０を運搬したり、傾斜している陳列棚に陳列したりする場合に、収納物が各波状リブ１１ａの谷部に入っていることによって、大きく位置ズレさせることがなく、商品（収納物）陳列を綺麗に行うことができるのである。
【発明を実施するための最良の形態】
【００３０】
次に、上記のように構成した本発明を、図面に示した最良形態である容器１０について説明すると、図１及び図７には、最良形態に係る容器１０の上に蓋体２０を嵌合した状態が、断面図で示してある。
【００３１】
これらの容器１０も蓋体２０も、合成樹脂シートを材料として、真空または圧空成形したものであるが、本最良形態で使用した合成樹脂シートの厚さは、０．１ｍｍ〜２．０ｍｍのものである。この合成樹脂シートの厚さが０．１ｍｍより薄いと、当該容器１０をゴミの減量に役立てることはできるが、上記シート成形によっては設計通りの波状リブ１１ａや案内部１７が形成できない。また、この合成樹脂シートの厚さが２．０ｍｍより厚い場合には、当該容器１０をゴミの減量に役立てることができないだけでなく、上記シート成形によっては設計通りの波状リブ１１ａや案内部１７が形成できない。以上のことを総合すると、使用する合成樹脂シートの厚さは、０．３ｍｍ〜０．５ｍｍものが好適である。
【００３２】
また、図１に示した最良形態の容器１０の平面視形状は、長方形状のものであるが、本発明は、平面視形状が多角形状、円、楕円等の他の形状のもについても適用することができるものである。
【００３３】
さて、容器１０は、図２Ａまたは図８に示したように、収納物（刺身やコロッケを代表とする食品あるいは惣菜）を載置するための底壁１１を平面視ほぼ四角形状にしたものであり、その周囲に形成してある側壁１５の上部に、本最良形態では、蓋体２０側の嵌合フランジ２１が嵌合される嵌合フランジ１５ａが形成してある。つまり、この容器１０は、これ単独で、収納物を入れた状態でラップで包み込むようにして使用されることもあるが、蓋体２０を嵌合して使用されることもあるものである。
【００３４】
そして、この容器１０においては、図６または図９に示したように、その底壁１１に互いに平行な複数の波状リブ１１ａを形成するとともに、これら各波状リブ１１ａの側部にカトラリー３０の先端を案内する案内部１７を形成し、これらの案内部１７を波状リブ１１ａの方向に沿った面を有するものとしてある。
【００３５】
つまり、本最良形態に係る容器１０の底壁１１には、図２Ａに示した例では、長辺方向に延在するリブ状の案内部１７を複数本形成したものであり、これらの案内部１７の間に波状リブ１１ａを形成したものである。また、図７及び図８に示した例では、長辺方向に延在する複数本の波状リブ１１ａを、その山部の頂点が底壁１１の内面と一致するように形成しておき、これらの各波状リブ１１ａの側部になる部分を、図７に示したように、案内部１７としたものである。
【００３６】
この案内部１７について重要なことは、この案内部１７には二種類の態様があることである。一つ目は、図１及び図２Ａに示したように、この案内部１７を底壁１１にて立ち上がる「リブ」として形成する場合であり、二つ目は、図７及び図８に示したように、波状リブ１１ａの側部に底壁１１の一部により、「壁」として形成する場合である。
【００３７】
一つ目の、この案内部１７を底壁１１にて立ち上がる「リブ」として形成する場合では、その平行方向に沿った面（実際にカトラリー３０が当たる面）が、図１６に示すような種々な態様にすることができる。また、「リブ」としての各案内部１７の断面形状としては、図１７に示すような種々な態様のものにすることができる。
【００３８】
二つ目の、波状リブ１１ａの側部に底壁１１の一部により、「壁」として形成する場合では、図１０〜図１４の各（ｂ）にて示したような種々な態様のものが考えられる。勿論、各案内部１７を「壁」として形成するこの場合では、この「壁」が底壁１１の一部により形成するのであるから、各波状リブ１１ａの間には、図８に示したように、０．５ｍｍ〜３．０ｍｍ程度の間隔が設けてある。
【００３９】
波状リブ１１ａについても、図１０〜図１５に示したような、種々な形態のものが考えられるが、その基本構成は、図１及び図２Ａ、または図７及び図８に示すように、容器１０の底壁１１の一部を当該波状リブ１１ａとしたこと、互いに平行にしたこと、そして各波状リブ１１ａの側部にカトラリー３０の先端を案内する案内部１７を存在させたことである。
【００４０】
複数の波状リブ１１ａを互いに平行に形成する場合の「平行」とは、図２Ａに示したように、長方形状の容器１０の直線状の側壁１５に対して平行、つまり各波状リブ１１ａが平面視で直線状になっている場合は勿論、湾曲あるいは折れ曲がってはいるが、互いの距離がどこをとっても同じ場合、つまり各波状リブ１１ａが湾曲あるいは折れ曲がっている場合も含むものである。
【００４１】
また、互いに平行な各波状リブ１１ａを文字通り「波」として考えた場合、その高さ、振幅、幅が考えられるが、本最良形態では、高さを３．０ｍｍ〜４．０ｍｍの範囲内にしてある。波状リブ１１ａの振幅については、５．０ｍｍ〜２２．０ｍｍであることがよいが、本最良形態では、１０．０ｍｍ〜１５．０ｍｍのものとしてある。なお、この振幅に関連して、各波状リブ１１ａの外側曲面の半径を、３．０ｍｍ〜１５．０ｍｍ、特に６．０ｍｍ〜１０．０ｍｍとすると、より効果の高い波状リブ１１ａとすることができる。
【００４２】
また、図示した最良形態に係る各波状リブ１１ａでは、例えば図２Ａに示したように、各波の「山」に該当する部分が、隣接する波状リブ１１ａのそれとズレるように形成してある。このため、各波状リブ１１ａにおける「波の山」がランダムに位置することになって、底面１１の補強を方向性なく行えるのである。
【００４３】
一方、カトラリー３０の先端を案内する案内部１７も、図１６または図１７に示したような種々な態様のものが考えられるが、その基本構成は、上記各波状リブ１１ａの側部に形成されたこと、この波状リブ１１ａの平行方向に沿った面を有することである。
【００４４】
各案内部１７の上面を、図１に示したように、各波状リブ１１ａの「山」より高くなるように形成した場合には、収納物（食品）を支える面の各案内部１７方向の補強を、例えば底壁１１だけ、あるいはこれと波状リブ１１ａとによる場合に比較して、強固に行うことができる。
【００４５】
さて、この容器１０を構成している底壁１１の各隅部（長方形状であるから合計４個ある）には、図２Ａ及び図８に示したように、脚部１２が形成してある。各脚部１２は、各隅部の全てに独立したものとして形成して実施してもよく、また、隣接し合う各脚部１２が連続して、「コ字状」のものとなるように形成して実施しても良い。
【００４６】
なお、本最良形態の容器１０では、各脚部１２に対向する側壁１５の内側に、図２Ａ及び図８に示したように、複数の縦リブ１８が形成してある。各縦リブ１８は、当該容器１０の各隅部の剛性を高める他、平らな上端面を有したものとして形成したものであることから、この上端面に、蓋体２０側の隅リブ２２の下面（これも平らな面に形成してある）が載置できるようにしたものである。つまり、最良形態の容器１０は蓋体２０が嵌合されるものでもあるが、蓋体２０を嵌合した別の容器１０が当該容器１０の蓋体２０上に載置（段積み）されたときに、当該容器１０側の縦リブ１８と蓋体２０側の隅リブ２２が当接し合うことにより、これらの蓋体２０と隅リブ２２とが「柱」あるいは「土台」の役目を果たすことになって、蓋体２０や容器１０が潰れるのを防止するのである。
【００４７】
さて、これらの縦リブ１８に向かう各脚部１２の底壁１２ａには、第１補強リブ１３のみを形成したり、図２Ｂ及び図８に示したように、第１補強リブ１３と第３補強リブ１６とを形成したり、第１補強リブ１３と第２補強リブとを形成したりすることがなされる。
【００４８】
第１補強リブ１３は、脚部１２の底壁１２ａの一部に形成されて、曲がり部１３ａを有したものであり、第２補強リブは、脚部１２がその底壁１２ａの一部に曲がり部１２ｂを有したものである場合に、この曲がり部１２ｂにその対角線１２ｃを横断するものとして形成されるものである。また、第３補強リブ１６は、脚部１２の底壁１２ａに形成されて、当該容器１０の側壁１５面に直交するものである。
【００４９】
この第１補強リブ１３については、曲がり部１３ａを有している必要があるが、この曲がり部１３ａの形状としては種々のものが適用できる。本最良形態の場合、各第１補強リブ１３の曲がり部１３ａは、脚部１２の対角線１２ｃ上になるが、この曲がり部１３ａの位置は必ずしも対角線１２ｃ上でなくても構わない。各対角線１２ｃは、容器１０が平面視正方形状、長方形状または多角形状のものであれば、各頂点を通るものであり、容器１０が平面視円形状のものであれば、脚部１２の中心線となる。
【００５０】
各曲がり部１３ａの形状としては、「直交タイプ」、「Ｖの字タイプ」、あるいは「Ｕの字タイプ」がある。「Ｕの字タイプ」では、２本の第１補強リブ１３が各曲がり部１３ａの先端にて接触させたり、各第１補強リブ１３の各曲がり部１３ａの先端を離したり、先端に第１補強リブ１３の存在しない空き部分を形成したりするこができる。
【００５１】
一方、各第２補強リブは底壁１２ａの対角線１２ｃに対して横断するものであるが、各対角線１２ｃは、容器１０が平面視、正方形状、長方形状または多角形状のものであれば、各頂点を通る対角線であり、容器１０が平面視円形状のものであれば、脚部１２の対角線となるものである。また、以上のような第２補強リブは、対角線１２ｃを横断するものとしても実施できる。
【００５２】
さて、以上の容器１０に嵌合される蓋体２０であるが、図１８〜図２０に示したように、上記容器１０側の嵌合フランジ１５ａに上方から嵌合されることになる嵌合フランジ２１を、当該蓋体２０の側壁の下端に形成したものである。なお、この蓋体２０における側壁は、図１、図７及び図１９にも示したように、容器１０側の側壁１５よりも高さが高いものとして形成してあり、収納物の収納空間を十分となるようにするとともに、収納物の外部からの視認が容易になるようにしてある。
【００５３】
また、この蓋体２０の側壁の隅部近傍には、図１８〜図２０に示したように、外端面が天板の端から嵌合フランジ２１に向けて傾斜する隅リブ２２が形成してある。各隅リブ２２は、前述した通り、その下面を平らなものとしたものであり、この下面は、当該蓋体２０を容器１０に嵌合したとき、容器１０側の縦リブ１８の平らな上端面に当接することになるものである。
【００５４】
従って、最良形態の容器１０に蓋体２０が嵌合されたとき等において、蓋体２０を嵌合した別の容器１０が当該容器１０の蓋体２０上に載置（段積み）されたときに、上述したように、当該容器１０側の縦リブ１８と蓋体２０側の隅リブ２２が当接し合うことにより、これらの蓋体２０と隅リブ２２とが「柱」あるいは「土台」の役目を果たすことになって、これら容器１０側の縦リブ１８及び蓋体２０側の隅リブ２２は、蓋体２０や容器１０が潰れるのを防止するのである。
【図面の簡単な説明】
【００５５】
【図１】本発明に係る容器に蓋体を嵌合したときの拡大縦断面図である。
【図２Ａ】同容器の平面図である。
【図２Ｂ】図２Ａに示した容器における右下部の部分拡大平面図である。
【図３】同容器の正面図である。
【図４】同容器の正面からみた縦断面図である。
【図５】同容器の側面からみた縦断面図である。
【図６】同容器内の収納物をカトラリーによって取り出そうとしている状態を示す断面図である。
【図７】本発明に係る別の容器に蓋体を嵌合したときの拡大縦断面図である。
【図８】同容器の平面図である。
【図９】同容器内の収納物をカトラリーによって取り出そうとしている状態を示す断面図である。
【図１０】同容器における波状リブ１１ａと案内部１７との形状及び位置関係の第１例を示すもので、（ａ）は案内部１７がリブとして形成した場合の部分拡大断面図、（ｂ）は案内部１７が波状リブ１１ａの側部にできた壁である場合の部分拡大断面図である。
【図１１】同容器における波状リブ１１ａと案内部１７との形状及び位置関係の第２例を示すもので、（ａ）は案内部１７がリブとして形成した場合の部分拡大断面図、（ｂ）は案内部１７が波状リブ１１ａの側部にできた壁である場合の部分拡大断面図である。
【図１２】同容器における波状リブ１１ａと案内部１７との形状及び位置関係の第３例を示すもので、（ａ）は案内部１７がリブとして形成した場合の部分拡大断面図、（ｂ）は案内部１７が波状リブ１１ａの側部にできた壁である場合の部分拡大断面図である。
【図１３】同容器における波状リブ１１ａと案内部１７との形状及び位置関係の第４例を示すもので、（ａ）は案内部１７がリブとして形成した場合の部分拡大断面図、（ｂ）は案内部１７が波状リブ１１ａの側部にできた壁である場合の部分拡大断面図である。
【図１４】同容器における波状リブ１１ａと案内部１７との形状及び位置関係の第５例を示すもので、（ａ）は案内部１７がリブとして形成した場合の部分拡大断面図、（ｂ）は案内部１７が波状リブ１１ａの側部にできた壁である場合の部分拡大断面図である。
【図１５】同容器における一つの波状リブ１１ａの断面形状を、（ａ）〜（ｅ）の５種類例示した部分拡大断面図である。
【図１６】同容器における一つの案内部１７の側面形状を、（ａ）〜（ｅ）の５種類例示した部分拡大断面図である。
【図１７】同容器における一つの案内部１７の断面形状を、（ａ）〜（ｅ）の５種類例示した部分拡大断面図である。
【図１８】同容器に嵌合される蓋体の平面図である。
【図１９】同蓋体の正面図である。
【図２０】同蓋体の側面図である。
【符号の説明】
【００５６】
１０    容器
１１    底壁
１１ａ  波状リブ
１２    脚部
１２ａ  底壁
１２ｂ  曲がり部
１３    第１補強リブ
１３ａ  曲がり部
１５    側壁
１５ａ  嵌合フランジ
１６    第３補強リブ
１７    案内部
１８    縦リブ
２０    蓋体
２１    嵌合フランジ
２２    隅リブ
３０    カトラリー
【図１】
2010047305.tif 000003
【図２Ａ】
2010047305.tif 000004
【図２Ｂ】
2010047305.tif 000005
【図３】
2010047305.tif 000006
【図４】
2010047305.tif 000007
【図５】
2010047305.tif 000008
【図６】
2010047305.tif 000009
【図７】
2010047305.tif 000010
【図８】
2010047305.tif 000011
【図９】
2010047305.tif 000012
【図１０】
2010047305.tif 000013
【図１１】
2010047305.tif 000014
【図１２】
2010047305.tif 000015
【図１３】
2010047305.tif 000016
【図１４】
2010047305.tif 000017
【図１５】
2010047305.tif 000018
【図１６】
2010047305.tif 000019
【図１７】
2010047305.tif 000020
【図１８】
2010047305.tif 000021
【図１９】
2010047305.tif 000022
【図２０】
2010047305.tif 000023